(57)【要約】【課題】空気調和システムにおいて、室内温度センサ異常発生時の応急運転における使用者の不快感を低減させる。【解決手段】室内温度センサ異常検知手段８が室内温度センサ６の異常を検知した時に、室内目標温度決定手段９が室内目標温度をリモコン３から受信したリモコン近傍室内温度に切り替えるものである。これによって、ユーザーの温度設定要求に合わせて応急運転することができ、応急運転におけるユーザーの不快感を低減させることができる。【選択図】図１
2008180404.tif 000002
【特許請求の範囲】
【請求項１】
室内温度センサと室内温度検出手段と室内温度センサ異常検知手段と室内目標温度決定手段と制御部と通信手段とを備えた空気調和機と、リモコン内蔵温度センサとリモコン温度検出手段を備えたリモコンを具備した空気調和システムであって、前記室内温度センサ異常検知手段が前記室内温度センサの異常を検知した時に、前記室内目標温度決定手段が前記リモコンから受信したリモコン近傍室内温度を室内目標温度とすることを特徴とする空気調和システム。
【請求項２】
室内温度センサと室内温度検出手段と室内温度センサ異常検知手段と室内目標温度決定手段と制御部と通信手段と運転時室内温度記憶手段とを備えた空気調和機と、リモコンを具備した空気調和システムであって、前記室内温度センサ異常検知手段が前記室内温度センサの異常を検知した時に、前記室内目標温度決定手段が前記運転時室内温度記憶手段で記憶している室内温度を室内目標温度とすることを特徴とする空気調和システム。
【請求項３】
異常表示判定手段と異常表示部は、空気調和機内に構成され、空気調和機異常検知時に前記異常表示判定手段が応急運転中のみ異常を前記異常表示部に表示することを特徴とする、請求項１または２に記載の空気調和システム。
【発明の詳細な説明】
【技術分野】
【０００１】
本発明は空気調和システムに関するものである。
【背景技術】
【０００２】
従来、この種の空気調和システムでは、例えば図４に記載された空気調和システムがあった（例えば、特許文献１参照）。
【０００３】
図４において、室内温度センサ１０４と、室内温度検出手段１０５と、室内温度センサ異常検知手段１０６と、室内温度置換手段１０７と、通信手段１０８を備えた空気調和機１０２と、リモコン１０３を具備した空気調和システム１０１であって、室内温度センサ異常検知手段１０６が室内温度センサ１０４の異常を検知すると、室内温度置換手段１０７が室内温度を所定温度に置き換えていた。
【特許文献１】特開平５−１８７６８３号公報
【発明の開示】
【発明が解決しようとする課題】
【０００４】
しかしながら、前記従来の構成では、室内温度センサ異常発生時に応急運転を開始すると、室内温度の調節が全くできない状態での運転を行うこととなっていた。このため、冷房運転中であればユーザーが不快に感じるまでに室内温度が下がることがあった。
【０００５】
本発明は、前記従来の課題を解決するもので、室内温度センサ異常発生時の応急運転におけるユーザーの不快感を低減させた空気調和システムを提供することを目的とする。
【課題を解決するための手段】
【０００６】
前記従来の課題を解決するために、本発明の空気調和システムは、室内温度センサと室内温度検出手段と室内温度センサ異常検知手段と室内目標温度決定手段と制御部と通信手段とを備えた空気調和機と、リモコン内蔵温度センサとリモコン温度検出手段を備えたリモコンを具備した空気調和システムであって、室内温度センサ異常検知手段が室内温度センサの異常を検知した時に、室内目標温度決定手段が室内目標温度をリモコンから受信したリモコン近傍室内温度に切り替えるものである。
【０００７】
これによって、ユーザーの温度設定要求に合わせて応急運転することができ、応急運転におけるユーザーの不快感を低減させることができる。
【発明の効果】
【０００８】
本発明の空気調和システムは、室内温度センサ異常発生時の応急運転におけるユーザーの不快感を低減させることができる。
【発明を実施するための最良の形態】
【０００９】
第１の発明は、室内温度センサと室内温度検出手段と室内温度センサ異常検知手段と室内目標温度決定手段と制御部と通信手段とを備えた空気調和機と、リモコン内蔵温度センサとリモコン温度検出手段を備えたリモコンを具備した空気調和システムであって、室内温度センサ異常検知手段が室内温度センサの異常を検知した時に、室内目標温度決定手段が室内目標温度をリモコンから受信したリモコン近傍室内温度に切り替えるもので、この構成をなすことにより、ユーザーの温度設定要求に合わせて応急運転することができ、応急運転におけるユーザーの不快感を低減させることができる。
【００１０】
第２の発明は、室内温度センサと室内温度検出手段と室内温度センサ異常検知手段と室内目標温度決定手段と制御部と通信手段と運転時室内温度記憶手段とを備えた空気調和機と、リモコンを具備した空気調和システムであって、室内温度センサ異常検知手段が室内温度センサの異常を検知した時に、室内目標温度決定手段が室内目標温度を運転時室内温度記憶手段で記憶している室内温度とするもので、この構成をなすことにより、リモコン側に内蔵温度センサがないシステムにおいてユーザーの温度設定要求に合わせて応急運転することができ、応急運転におけるユーザーの不快感を低減させることができる。
【００１１】
第３の発明は、異常表示判定手段と異常表示部を設け、特に、第１または第２の発明の空気調和機の異常検出時に、異常表示判定手段が応急運転中のみ異常を異常表示部に表示するもので、この構成をなすことにより、空気調和機の運転に支障がない異常をユーザーに知らせないことができ、空気調和機の修理サービス費用を低減することができる。
【００１２】
以下、本発明の実施の形態について、図面を参照しながら説明する。なお、この実施の形態によって本発明が限定されるものではない。
【００１３】
（実施の形態１）
図１は、本発明の第１の実施の形態における空気調和システムのブロック図を示すものである。
【００１４】
図１において、空気調和システム１は、室内温度センサ６と室内温度検出手段７と室内温度センサ異常検知手段８と室内目標温度決定手段９と制御部１０と通信手段１１とを備えた空気調和機２と、リモコン内蔵温度センサ４とリモコン温度検出手段５を備えたリモコン３とから構成される。以上のように構成された空気調和システムにおいて、以下その動作、作用を説明する。
【００１５】
リモコン内蔵温度センサ４は、リモコン近傍室内温度に応じた抵抗値（１５ｋΩ等）を出力する。
【００１６】
リモコン温度検出手段５は、リモコン内蔵温度センサ４から出力される抵抗値からリモコン近傍室内温度を（２３℃等）検出する。
【００１７】
室内温度センサ６は、室内温度に応じた抵抗値（１５ｋΩ等）を出力する。
【００１８】
室内温度検出手段７は、室内温度センサ６から出力される抵抗値から室内温度を（２５℃等）検出する。
【００１９】
室内温度センサ異常検知手段８は、室内温度検出手段７で検出した室内温度が異常値（センサーオープン、センサーショート等）であるか否か検知する。
【００２０】
室内目標温度決定手段９は、空気調和機の運転制御で採用する室内温度を決定する。
【００２１】
制御部１０は、室内目標温度決定手段９で決定した室内温度と温度設定（２８℃等）により、空気調和機２を運転制御する。
【００２２】
通信手段１１は、リモコン３と各種制御信号（運転ＯＮ、運転ＯＦＦ、タイマー設定等）を送受信する。
【００２３】
以上のように構成された空気調和システム１は、室内温度センサ異常検知手段８が室内温度センサ６の異常を検知した時に、室内目標温度決定手段９がリモコンから受信したリ
モコン近傍室内温度を室内目標温度にするものである。
【００２４】
したがって、ユーザーの温度設定要求に合わせて応急運転することができ、応急運転におけるユーザーの不快感を低減させることができる。
【００２５】
（実施の形態２）
図２は、本発明の実施の形態２における空気調和システムのブロック図を示すものである。図２において、実施の形態１で説明した部分については同じ符号を用い説明を省略する。
【００２６】
運転時室内温度記憶手段１２は、空気調和機２が運転している間、所定の周期で室内温度平均値（２３℃等）を算出し記憶する。
【００２７】
以上のように構成された空気調和システム１は、室内温度センサ異常検知手段８が室内温度センサ６の異常を検知した時に、室内目標温度決定手段９が運転時室内温度記憶手段１２で記憶している室内温度を室内目標温度とするものである。
【００２８】
したがって、リモコン側に内蔵温度センサがないシステムにおいてユーザーの温度設定要求に合わせて応急運転することができ、応急運転におけるユーザーの不快感を低減させることができる。
【００２９】
（実施の形態３）
図３は、本発明の実施の形態３における空気調和システムのブロック図を示すものである。図３において、実施の形態１で説明した部分については同じ符号を用い説明を省略する。
【００３０】
異常表示判定手段１３は、室内温度センサ異常検知手段８が室内温度センサ６の異常を検知した時に、異常表示をするか否か判定する。
【００３１】
異常表示部１４は、空気調和機２の異常を表示（ＬＥＤ点滅、異常記号Ｈ２０表示等）する。
【００３２】
以上のように構成された空気調和システム１は、空気調和機２の異常時に、異常表示判定手段１３が応急運転中のみ異常を異常表示部１４に表示するものである。
【００３３】
したがって、空気調和機の運転に支障がない異常をユーザーに知らせないことができ、空気調和機の修理サービス費用を低減することができる。また、応急運転中は異常表示を行わないため、ユーザーの不安感を低減することができる。
【産業上の利用可能性】
【００３４】
以上のように、本発明の空気調和システムは、室内温度センサ異常発生時の応急運転における使用者の不快感を低減させることが可能となるので、空気調和機の運転制御に必要な物理量を検出する各種センサの機能異常発生時の応急運転等の用途にも適用できる。
【図面の簡単な説明】
【００３５】
【図１】本発明の実施の形態１における空気調和システムのブロック図
【図２】本発明の実施の形態２における空気調和システムのブロック図
【図３】本発明の実施の形態３における空気調和システムのブロック図
【図４】従来の空気調和システムのブロック図
【符号の説明】
【００３６】
１  空気調和システム
２  空気調和機
３  リモコン
４  リモコン内蔵温度センサ
５  リモコン温度検出手段
６  室内温度センサ
７  室内温度検出手段
８  室内温度センサ異常検知手段
９  室内目標温度決定手段
１０  制御部
１１  通信手段
１２  運転時室内温度記憶手段
１３  異常表示判定手段
１４  異常表示部
【図１】
2008180404.tif 000003
【図２】
2008180404.tif 000004
【図３】
2008180404.tif 000005
【図４】
2008180404.tif 000006